(57)【要約】  海の波を使用するエネルギー発生システムであって、浮体（１）が構造（５）に取り付けられ、端部が構造（５）と一体の少なくとも一つの水平シャフト（９）を含み、浮体（１）の運動を機械的エネルギーに変換するための手段は、周囲に連結ケーブル又はチェーン（４）が巻付けられた可動ハウジング（１０）を含み、ハウジング（１０）は、巻付けられたケーブル又はチェーン（４）の作用で回転するように水平シャフト（９）に関して回転するように取り付けられている、ことを特徴とする。本システムは、非常に簡単であり且つ効果的方法でエネルギーを得る。
2007512469.tif 000002
【特許請求の範囲】
【請求項１】
少なくとも一つの浮体（１）、バラスト（２）、バラストチェーン又はケーブル（３）、このバラストチェーン又はケーブル（３）と前記浮体との間の少なくとも一つの連結ケーブル（４）又はチェーン、前記浮体（１）の運動を機械的エネルギーに変換するための手段、波が下がるときに前記ケーブル又はチェーン（４）がその初期位置まで復元することを許容する、前記浮体（１）の内部に配置された少なくとも一つの復元装置、前記浮体（１）の内部に配置され、前記機械的エネルギーを機械的エネルギー以外のエネルギーに変換するための少なくとも一つの装置、及び前記エネルギーを陸地又は固定された構造に伝達するための手段を含む、海の波を使用するエネルギー発生システムにおいて、前記浮体（１）は構造（５）に取り付けられており、端部が前記構造（５）と一体の少なくとも一つの水平シャフト（９）を含み、前記浮体（１）の運動を機械的エネルギーに変換するための前記手段は、周囲に連結ケーブル又はチェーン（４）が巻付けられた可動ハウジング（１０）を含み、前記ハウジング（１０）は、巻き付けられた前記ケーブル又はチェーン（４）の作用で回転するように、前記水平シャフト（９）に関して回転するように取り付けられている、エネルギー発生システム。
【請求項２】
請求項１に記載のエネルギー発生システムにおいて、前記機械的エネルギーを変換するための前記少なくとも一つの装置は、発電機（１５）及び前記機械的エネルギーを前記発電機（１５）に伝達するための手段を含む、ことを特徴とするエネルギー発生システム。
【請求項３】
請求項２に記載のエネルギー発生システムにおいて、前記機械的エネルギーを前記発電機（１５）に伝達する前記手段は、前記可動ハウジング（１０）の一部分を形成するように取り付けられた内部クラウン歯車（１２）、このクラウン歯車（１２）と噛み合うピニオン（１３）、及びこのピニオン（１３）に取り付けられた増倍器（１４）を含む、ことを特徴とするエネルギー発生システム。
【請求項４】
請求項１に記載のエネルギー発生システムにおいて、前記構造（５）に取り付けられた少なくとも二つの浮体（１）、及び端部が前記構造（５）と一体の少なくとも二つの平行な水平シャフト（９）を含み、前記浮体の前記ケーブル又はチェーン（４）は、巻付けられた前記ケーブル又はチェーン（４）の作用により、前記浮体（１）の前記可動ハウジング（１０）同士が互いに逆方向に回転するように、前記浮体（１）の前記可動ハウジング（１０）に逆方向に巻付けられている、ことを特徴とするエネルギー発生システム。
【請求項５】
請求項１に記載のエネルギー発生システムにおいて、前記復元装置はコイルばね（１１）を含み、前記ばね（１１）は、その一方の端部が、前記構造（５）と一体の前記水平シャフト（９）に取り付けられており、その他方の端部が、前記浮体（１）の前記可動ハウジング（１０）に取り付けられている、ことを特徴とするエネルギー発生システム。
【請求項６】
請求項１に記載のエネルギー発生システムにおいて、前記構造（５）は、前記少なくとも一つの水平シャフト（９）と平行な少なくとも一つの輪郭部、及び前記輪郭部及び前記構造（５）に取り付けられた、前記可動ハウジング（１０）の外面に付着した海洋堆積物を除去するための手段を含む、ことを特徴とするエネルギー発生システム。
【請求項７】
請求項６に記載のエネルギー発生システムにおいて、堆積物を除去するための前記手段は、スクレーパである、ことを特徴とするエネルギー発生システム。
【請求項８】
請求項１に記載のエネルギー発生システムにおいて、前記バラストチェーン又はケーブル（３）に取り付けられた少なくとも一つの中間ブイ（７）を含む、ことを特徴とするエネルギー発生システム。
【請求項９】
請求項１に記載のエネルギー発生システムにおいて、複数のモジュール（１７）を含み、これらのモジュールの各々は、少なくとも一つの浮体（１）で形成されている、ことを特徴とするエネルギー発生システム。
【請求項１０】
請求項８及び９に記載のエネルギー発生システムにおいて、各モジュール（１７）は少なくとも前記浮体（１）、及び前記バラストチェーン又はケーブル（３）に取り付けられた少なくとも前記中間ブイ（７）によって形成されている、ことを特徴とするエネルギー発生システム。
【請求項１１】
請求項１又は６に記載のエネルギー発生システムにおいて、前記構造（５）は前記連結ケーブル又はチェーン（４）を案内するための手段を含む、ことを特徴とするエネルギー発生システム。
【請求項１２】
請求項４乃至１１のうちのいずれかに記載のシステムの特徴を含むブイにおいて、機械的エネルギーを機械的エネルギー以外のエネルギーに変換するための前記少なくとも一つの装置を備えていない、ことを特徴とするブイ。
【発明の詳細な説明】
【技術分野】
【０００１】
本発明は、海の波を使用するエネルギー発生システム、及び前記システムに共通の特徴を持つブイに関する。
【背景技術】
【０００２】
現在、浮体を海底に固定するための可撓性エレメントを含む、浮体を用いて海の波からエネルギーを得るための様々なシステムが知られている。これらのシステムには、複雑な装置を含み、エネルギー発生機構が海水と直接接触し、従って高度の腐蝕を被るという欠点がある。このようなシステムには、更に、任意の種類の海面高さに適合せず、従って大量生産できないという欠点がある。これら全てにより、設置及び保守に要する費用が非常に大きくなり、得られたエネルギー出力に基付く利点をこのようなシステムから得ることが妨げられる。
【０００３】
国際特許出願ＷＯ  ０２／４８５４４  Ａ１は、上述の欠点を解消した、海の波からエネルギーを発生するためのシステムに関する。
【０００４】
前記システムは、少なくとも一つの浮体、バラスト、前記バラストと前記浮体との間の連結チェーン又はケーブル、及び前記浮体の内側に設けられた、浮体の運動を空気圧エネルギー又は液圧エネルギーに変換するための装置を、エネルギーを陸地又は固定された構造に伝達するための手段とともに含む。
【０００５】
上掲の特許と関連した、浮体の運動を変換するための装置は、浮体と関連した連結チェーン又はケーブルが巻付けられたドラムをその主要エレメントとして有するトラクションシステムを含む。このトラクションシステムは、ブイの力及び垂直方向直線運動をケーブルによって、所定の回転モーメントを持つドラムの回転運動に変換する仕事を行う。変換装置は、更に、浮体が波に従って下がるときにドラムを逆方向に回転させ、ケーブル又はチェーンに常に適当な張力を維持する復元装置を含む。
【０００６】
かくして、記載のシステムでは、波が到着した作用による浮力で浮体が上昇するとき、ケーブル又はチェーンがドラムから巻出される。ドラムは、所定の回転モーメントで又はドラム自体からのシャフトトルクにより一方向に回転し、これがエネルギー変換システムに伝達され、空気圧エネルギー、電気エネルギー、又は液圧エネルギーを発生する。浮体が重力の作用で波とともに下降するとき、復元装置はドラムを逆方向に回転する仕事を行い、これによってケーブル又はチェーンをその初期位置に戻す。
【０００７】
上述の特許に記載のシステムには、簡単であり且つ様々な潮汐高さの問題を解決するという利点があり、そのため、システムを大量生産できる。確かに、装置のケーブルの長さを潮汐に従って変化させる必要がなく、波の上昇中、復元装置によって巻出されたチェーン又はケーブルを常に復元できるため、特定の海域で巻付けられた即ち復元されたケーブルの長さは、その海域での波の予想高さでなく、潮汐の高低差で決まる。
【０００８】
国際特許出願ＷＯ  ０２／４８５４４に記載のシステムの別の利点は、海水が直接作用することによる腐蝕の問題を解決するということである。この特許には、浮体の運動をエネルギーに変換するための装置が開示されている。この装置は、浮体の内側にこの浮体の浮遊可能線の上方に取り付けられている。
【０００９】
国際特許出願ＷＯ  ０２／４８５４４  Ａ１に開示のシステムには、それにも拘わらず、多くの欠点があった。それを以下に記載する。  
・浮体の内側に取り付けられる大きなドラムを製造し、前記浮体をバラストに連結するケーブル又はチェーンをこのドラムに巻付ける必要があったため、このシステムは、それでもなお複雑なシステムであった。  
・浮体をバラストに連結するケーブル又はチェーンに大きな応力が加わり、それにより、引張力及び撓みとあいまってケーブル又はチェーンの有効寿命が短くなり、前記ケーブル又はチェーンには、更に、浮体全体が仮想垂直軸線を中心として回転するため、海流の作用で発生した捩じり力が作用する。  
・浮体を修理しなければならない場合、中間ブイがなく、浮体の連結ケーブルが海底バラストに直接取り付けられているため、海底への固定箇所が必然的に失われてしまう。  
・浮体が、機能が異なる二つのエレメント、即ち下部分に設けられたフロート及びエネルギー変換装置の構成要素を収容するために前記フロートに取り付けられた容器を含むため、浮体の設計が複雑である。  
・浮体は安定しておらず、容易に引っ繰り返ってしまう。これは、エネルギー変換装置の構成要素が浮遊可能線の上方にあるため、浮体の重心もまた浮遊可能線の上方にあるためである。  
・海洋堆積物を除去するため、浮体の外面を定期的に保守しなければならない。
【発明の開示】
【発明が解決しようとする課題】
【００１０】
本発明の目的は、以下に説明する利点を持つシステムを開発することによって、上述の問題点を解決することである。
【課題を解決するための手段】
【００１１】
第１の特徴によれば、海の波からエネルギーを発生するための本発明のシステムは、少なくとも一つの浮体、バラスト、バラストチェーン又はケーブル、このバラストチェーン又はケーブルと前記浮体との間の少なくとも一つの連結ケーブル又はチェーン、前記浮体の運動を機械的エネルギーに変換するための手段、波が下がるときに前記ケーブル又はチェーンがその初期位置まで復元することを許容する、前記浮体の内部に配置された少なくとも一つの復元装置、前記浮体の内部に配置された前記機械的エネルギーを機械的エネルギー以外のエネルギーに変換するための少なくとも一つの装置、及び前記エネルギーを陸地又は固定された構造に伝達するための手段を含む、海の波を使用するエネルギー発生システムにおいて、前記浮体は構造に取り付けられており、端部が前記構造と一体の少なくとも一つの水平シャフトを含み、前記浮体の運動を機械的エネルギーに変換するための前記手段は、周囲に連結ケーブル又はチェーンが巻付けられた可動ハウジングを含み、前記ハウジングは、前記巻付けたケーブル又はチェーンの作用で回転するように前記水平シャフトに関して回転するように取り付けられている、エネルギー発生システム。
【００１２】
これらの特徴により、本発明のシステムには以下の利点がある。  
・浮体の可動ハウジング自体が、連結チェーン又はケーブルが巻付けられるシステムのドラムとして作用し、その結果、大きなドラムを浮体の内側に設置する必要がない。  
・浮体の設計が、エネルギーを発生するための浮力を提供するフロートとしての機能、及び、機械的エネルギー変換装置の構成要素を収容し、これらの構成要素を海水の直接的作用から遮断するための容器として作用する機能の二つの機能を持つ単一のエレメントを含むため、非常に簡単である。  
・浮体は安定しており、そのため釣合い重りを使用する必要がない。確かに、浮体の同じエレメントがフロートの機能及び装置の構成要素を装着するための容器の機能の両方を果たし、このことは、浮力の中心が重心よりも上にあり続け、そのため前記浮体が引っ繰り返ることがないということを意味する、  
・浮体に巻付けられた連結ケーブルとは別個の、本体のバラスト用の特定のケーブルが設けられている。この特定のバラストケーブルは、巻取ったり巻出したりする必要がないため、過大な大きさであってもよいし、加わった捩じり力によってその有効寿命が短くなることがない。
【００１３】
本発明の好ましい実施形態によれば、前記機械的エネルギーを変換するための少なくとも一つの装置は、発電機及び前記機械的エネルギーを前記発電機に伝達するための手段を含む。
【００１４】
好ましくは、前記機械的エネルギーを前記発電機に伝達する前記手段は、前記可動ハウジングの部分を形成するように取り付けられた内部クラウン歯車、このクラウン歯車と噛み合うピニオン、及びこのピニオンに取り付けられた増倍器を含む。
【００１５】
これらの特徴により、本発明のシステムによれば、浮体の可動ハウジングの運動から得られた機械的エネルギーは、電気エネルギーに直接変換される。
【００１６】
好ましくは、得られたエネルギーを電子工学的電力技術によって処理し、電気エネルギーが連続的に確実に伝達されるようにする。電気ネットワークに供給された流れを、これによって、できるだけ一定にし且つ安定化する。
【００１７】
本発明の好ましい実施形態によれば、本システムは、前記構造に取り付けられた少なくとも二つの浮体、及び端部が前記構造と一体の少なくとも二つの平行な水平シャフトを含み、前記浮体の前記ケーブル又はチェーンは、前記巻付けられたケーブル又はチェーンの作用により、前記浮体の可動ハウジングが互いに逆方向に回転するように、前記浮体の可動ハウジングに逆方向に巻付けられている。
【００１８】
単一の構造に取り付けられた二つの浮体の存在により、非常に簡単であり且つ効果的な方法で、本発明のエネルギー発生システムを物理的に安定化し、復元装置からの回転力及び機械的エネルギーを電気エネルギーに変換するための手段（発電機）からの反作用力を得る上で重要な状態を確保する。
【００１９】
好ましくは、復元装置はコイルばねを含み、前記ばねは、その一方の端部が前記構造と一体の前記水平シャフトに取り付けられており且つ他方の端部が前記浮体の前記可動ハウジングに取り付けられている。
【００２０】
前記コイルばねは、浮体の上昇中にエネルギーを弾性位置エネルギーの形態で蓄えることができる簡単な機械的解決策を構成する。前記エネルギーは、浮体が波に従って下降するときに放出され、浮体を逆方向に回転し、及びかくして連結チェーン又はケーブルを復元できる。
【００２１】
好ましくは、前記少なくとも一つの浮体が取り付けられた構造は、前記少なくとも一つの水平シャフトと平行な少なくとも一つの輪郭、及び前記輪郭及び前記構造に取り付けられた、前記可動ハウジングの前記外面に付着した海洋堆積物を除去するための手段を含む。
【００２２】
有利には、堆積物を除去するための前記手段はスクレーパである。
【００２３】
これらの特徴により、本発明のシステムは、「その場で」自動的にクリーニングを行い、そのため、海洋堆積物を除去するために一つ又はそれ以上の浮体の外面の保守を定期的に行う必要がない。
【００２４】
本発明によれば、前記システムは、前記バラストチェーン又はケーブルに取り付けられた少なくとも一つの中間ブイを含む。前記ブイにより、システムは中間固定箇所を有し、これにより二つの利点が得られる。一方では、適当な深さに固定された状態を保持でき、これにより、浮体を取り外すことができ、必要であれば、固定箇所を失わずにこのような浮体を交換できる。他方では、中間ブイの浮遊性により、中間ブイは、浮体に対するバラストチェーン又はケーブルの重量（これは海底の深さで決まる）を軽減し、当該重量は決して重要なものではない。
【００２５】
本発明の好ましい実施形態によれば、前記システムは複数のモジュールを含み、これらのモジュールの各々は、少なくとも一つの浮体によって形成されており、有利には、各モジュールは少なくとも前記浮体、及び前記バラストチェーン又はケーブルに取り付けられた少なくとも前記中間ブイによって形成されている。
【００２６】
システムは、モジュール式に設計されているため、地理的ゾーンの隆起の種類に簡単且つ容易に適合する。かくして、振幅が小さく且つ波長が小さい波の利点を得るためには、システムを２、３個のモジュールに装着するが、大きな波の利点を得るためには、システムを多数のモジュールに装着する。
【００２７】
好ましくは、システムの構造は前記連結ケーブル又はチェーンを案内するための手段を含む。この手段により、浮体のチェーン又はケーブルとバラストチェーンとの間、又は適用可能であれば中間ブイとの間を最適に連結できる。
【００２８】
本発明の第２の特徴によれば、請求項４乃至１１のうちのいずれかに記載のシステムの特徴を備えているが、前記機械的エネルギーを機械的エネルギー以外のエネルギーに変換するための前記少なくとも一つの装置を備えていない、ブイが提案される。
【００２９】
これらの特徴により、本発明は、自動クリーニング可能なブイを提供する。
【００３０】
以上の説明を更によく理解するため、添付図面には、実施形態の実際の場合が概略に且つ単なる非限定的例として示してある。
【発明を実施するための最良の形態】
【００３１】
図１は、本発明のシステムの好ましい実施形態の斜視図である。このシステムは、二つの浮体１、バラスト２、バラストチェーン３、浮体１の各々に一つずつ巻付けたケーブル４、及び前記浮体１が取り付けられた構造５を含むモジュール１７を含む。構造５は、ケーブル４を中間ブイ７まで案内するための手段６を含む。前記中間ブイ７は２０ｍ程度の深さまで沈められ、海底に置かれたバラスト２にバラストチェーン３によって固定される。
【００３２】
中間ブイ７は中間アンカー８を提供する。このアンカーには、システムの一つ又はそれ以上の浮体の固定点を適当な深さに維持できるという利点がある。
【００３３】
図１に示すように、ケーブル４が各浮体１から垂直方向下方に延び、ケーブルは案内手段６を通して中間ブイ７まで延びている。前記案内手段６及び前記ケーブル４を前記中間ブイ７に固定する方法により、摩擦によるエネルギー損失ができるだけ阻止される。
【００３４】
図２は、図１の二つの浮体１の一方の内部を示す。この図では、端部が構造５と一体の水平定置シャフト９が見える。この定置シャフト９は、浮体１の各々の可動ハウジング１０が、巻付けたケーブル４の作用により、それに関して回転する軸線を構成する。
【００３５】
図２でわかるように、システムの復元装置は、内端が定置シャフト９に取り付けられており且つ外端がハウジング１０の内面に取り付けられたコイルばね１１である。このばね１１は、バラストチェーン３及び連結ケーブル４の張力を確保するため、所定の張力が加わった状態で装着されており、ユニット全体が波の動きに従って降下するときに浮体１の各々から前記ケーブル４を復元する仕事を行う。
【００３６】
図示のシステムの構造５は、その内周全体に亘って幾つかのスクレーパ（図示せず）が設けられている。これらのスクレーパには、浮体１の可動ハウジング１０を回転移動により、前記浮体１の外面から海洋堆積物を除去するという利点がある。
【００３７】
図３は、機械的エネルギーを機械的エネルギー以外のエネルギー、この場合には電気エネルギーに変換するための装置の詳細を示す、浮体１の内部の斜視図である。
【００３８】
前記図は、浮体１のハウジング１０の内面と一体の内部クラウン歯車１２、このクラウン歯車１２と噛み合うピニオン１３、このピニオン１３に取り付けられた増倍器１４、及び最後に電気エネルギー発生器１５を示す。増倍器１４及び発電機１５は、両方とも、定置シャフト９と一体のプラットホーム１６に配置されている。増倍器１４は、シャフトに伝達された速度を、発電機１５が最適条件で作動するように適合する機能を有し、必要であればその伝達比を変化させることができる。
【００３９】
図４及び図５は、本発明のシステムの二つの好ましい実施形態の二つの斜視図であり、これらは、モジュール１７を、夫々、２個及び１６個含む。これらのうちの第１の実施形態は、波の振幅が小さく且つ波長が小さい地理的ゾーンに対して最適であるのに対し、第２の実施形態は、波の振幅が大きく且つ波長が大きいゾーンに対して最適である。
【００４０】
システムがどのように作動するのかを以下に説明する。
【００４１】
海が穏やかな状況では、システムは均衡状態のままである。ケーブル４は浮体の可動ハウジング１０に巻取られ、コイルばね１１の作用で張力が加わった状態を保持する。
【００４２】
波がやってきた作用で水面が上昇したとき、浮体１は波のスラストを受け取り、その上昇移動を開始する。ケーブル４が巻出され、これにより浮体の可動ハウジングを構造５と一体の定置シャフト９に関して回転させる。ハウジング１０の回転移動は、クラウン歯車１２を通して、このクラウン歯車と噛み合うピニオン１３から、及びこのピニオンに取り付けられた増倍器１４から、浮体１の内側に収容された発電機１５に伝達される。
【００４３】
かくして、図１乃至図５に示すシステムの好ましい実施形態では、浮体１の移動を、ハウジング１０を移動する機械的エネルギーに変換し、これを発電機１５が発生する電気エネルギーに変換する。
【００４４】
幾つかの浮体のうちの一つの発電機１５で得られた電気エネルギーは、電気エネルギーを確実に連続的に伝達するため、電子工学的電力技術によって処理される。
【００４５】
図示していないけれども、ハウジング１０を移動する機械的エネルギーを任意の他の種類のエネルギーに変換できる、本発明のシステムの他の実施形態が存在する。任意の他の種類のエネルギーには、伝達装置に連結されたコンプレッサーを用いる空気圧エネルギーや、伝達装置に連結されたポンプを用いる液圧エネルギー等が含まれる。
【００４６】
波が下がることにより水面が下がったとき、ケーブル４はコイルばね１１の作用で巻取られ、浮体１のハウジング１０を、巻出し中に回転された方向と逆方向に回転する。ケーブル４を復元するためにばね１１が使用するエネルギーは、波の上昇中に弾性位置エネルギーの形態で蓄えられたエネルギーである。
【００４７】
図１乃至図５に示す実施形態では、各モジュールは、二つの浮体で形成されており、これらの浮体のハウジング１０は互いに逆方向に回転し、その結果、システムは物理的に安定する。
【００４８】
本発明のシステムには、簡単であり且つ効果的な方法でエネルギーを得ることができるという利点がある。この利点は、システムの設置及び保守の費用が大幅に減少するということを意味する。
【図面の簡単な説明】
【００４９】
【図１】二つの浮体及び一つの中間ブイを持つ一つのモジュールを含む、本発明のシステムの好ましい実施形態の斜視図である。
【図２】前記浮体内部に配置された復元装置を示す、図１の斜視図の詳細図である。
【図３】機械的エネルギーを電気エネルギーに変換するための装置の詳細を示す、浮体内部の斜視図である。
【図４】二つの浮体及び一つの中間ブイを各々有する２個のモジュールを含む、本発明のシステムの好ましい実施形態の斜視図である。
【図５】二つの浮体及び一つの中間ブイを各々有する１６個のモジュールを含む、本発明のシステムの好ましい実施形態の斜視図である。
【図１】
2007512469.tif 000003
【図２】
2007512469.tif 000004
【図３】
2007512469.tif 000005
【図４】
2007512469.tif 000006
【図５】
2007512469.tif 000007
【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
少なくとも一つの浮体（１）、バラスト（２）、バラストチェーン又はケーブル（３）、このバラストチェーン又はケーブル（３）と前記浮体との間の少なくとも一つの連結ケーブル（４）又はチェーン、前記浮体（１）の運動を機械的エネルギーに変換するための手段、波が下がるときに前記ケーブル又はチェーン（４）がその初期位置まで復元することを許容する、前記浮体（１）の内部に配置された少なくとも一つの復元装置、前記浮体（１）の内部に配置され、前記機械的エネルギーを機械的エネルギー以外のエネルギーに変換するための少なくとも一つの装置、及び前記エネルギーを陸地又は固定された構造に伝達するための手段を含む、海の波を使用するエネルギー発生システムにおいて、前記浮体（１）は構造（５）に取り付けられており、端部が前記構造（５）と一体の少なくとも一つの水平シャフト（９）を含み、前記浮体（１）の運動を機械的エネルギーに変換するための前記手段は、周囲に連結ケーブル又はチェーン（４）が巻付けられた可動ハウジング（１０）を含み、前記ハウジング（１０）は、巻き付けられた前記ケーブル又はチェーン（４）の作用で回転するように、前記水平シャフト（９）に関して回転するように取り付けられている、エネルギー発生システム。
【請求項２】
請求項１に記載のエネルギー発生システムにおいて、前記機械的エネルギーを変換するための前記少なくとも一つの装置は、発電機（１５）及び前記機械的エネルギーを前記発電機（１５）に伝達するための手段を含む、ことを特徴とするエネルギー発生システム。
【請求項３】
請求項２に記載のエネルギー発生システムにおいて、前記機械的エネルギーを前記発電機（１５）に伝達する前記手段は、前記可動ハウジング（１０）の一部分を形成するように取り付けられた内部クラウン歯車（１２）、このクラウン歯車（１２）と噛み合うピニオン（１３）、及びこのピニオン（１３）に取り付けられた増倍器（１４）を含む、ことを特徴とするエネルギー発生システム。
【請求項４】
請求項１に記載のエネルギー発生システムにおいて、前記構造（５）に取り付けられた少なくとも二つの浮体（１）、及び端部が前記構造（５）と一体の少なくとも二つの平行な水平シャフト（９）を含み、前記浮体の前記ケーブル又はチェーン（４）は、巻付けられた前記ケーブル又はチェーン（４）の作用により、前記浮体（１）の前記可動ハウジング（１０）同士が互いに逆方向に回転するように、前記浮体（１）の前記可動ハウジング（１０）に逆方向に巻付けられている、ことを特徴とするエネルギー発生システム。
【請求項５】
請求項１に記載のエネルギー発生システムにおいて、前記復元装置はコイルばね（１１）を含み、前記ばね（１１）は、その一方の端部が、前記構造（５）と一体の前記水平シャフト（９）に取り付けられており、その他方の端部が、前記浮体（１）の前記可動ハウジング（１０）に取り付けられている、ことを特徴とするエネルギー発生システム。
【請求項６】
請求項１に記載のエネルギー発生システムにおいて、前記構造（５）は、前記少なくとも一つの水平シャフト（９）と平行な少なくとも一つの輪郭部、及び前記輪郭部及び前記構造（５）に取り付けられた、前記可動ハウジング（１０）の外面に付着した海洋堆積物を除去するための手段を含む、ことを特徴とするエネルギー発生システム。
【請求項７】
請求項６に記載のエネルギー発生システムにおいて、堆積物を除去するための前記手段は、スクレーパである、ことを特徴とするエネルギー発生システム。
【請求項８】
請求項１に記載のエネルギー発生システムにおいて、前記バラストチェーン又はケーブル（３）に取り付けられた少なくとも一つの中間ブイ（７）を含む、ことを特徴とするエネルギー発生システム。
【請求項９】
請求項１に記載のエネルギー発生システムにおいて、複数のモジュール（１７）を含み、これらのモジュールの各々は、少なくとも一つの浮体（１）で形成されている、ことを特徴とするエネルギー発生システム。
【請求項１０】
請求項８及び９に記載のエネルギー発生システムにおいて、各モジュール（１７）は少なくとも前記浮体（１）、及び前記バラストチェーン又はケーブル（３）に取り付けられた少なくとも前記中間ブイ（７）によって形成されている、ことを特徴とするエネルギー発生システム。
【請求項１１】
請求項１又は６に記載のエネルギー発生システムにおいて、前記構造（５）は前記連結ケーブル又はチェーン（４）を案内するための手段を含む、ことを特徴とするエネルギー発生システム。
【手続補正２】
【補正対象書類名】明細書
【補正対象項目名】０００９
【補正方法】変更
【補正の内容】
【０００９】
国際特許出願ＷＯ  ０２／４８５４４  Ａ１に開示のシステムには、それにも拘わらず、多くの欠点があった。それを以下に記載する。
・浮体の内側に取り付けられる大きなドラムを製造し、前記浮体をバラストに連結するケーブル又はチェーンをこのドラムに巻付ける必要があったため、このシステムは、それでもなお複雑なシステムであった。
・浮体をバラストに連結するケーブル又はチェーンに大きな応力が加わり、それにより、引張力及び撓みとあいまってケーブル又はチェーンの有効寿命が短くなり、前記ケーブル又はチェーンには、更に、浮体全体が仮想垂直軸線を中心として回転するため、海流の作用で発生した捩じり力が作用する。
・浮体を修理しなければならない場合、中間ブイがなく、浮体の連結ケーブルが海底バラストに直接取り付けられているため、海底への固定箇所が必然的に失われてしまう。
・浮体が、機能が異なる二つのエレメント、即ち下部分に設けられたフロート及びエネルギー変換装置の構成要素を収容するために前記フロートに取り付けられた容器を含むため、浮体の設計が複雑である。
・浮体は安定しておらず、容易に引っ繰り返ってしまう。これは、エネルギー変換装置の構成要素が浮遊可能線の上方にあるため、浮体の重心もまた浮遊可能線の上方にあるためである。
・海洋堆積物を除去するため、浮体の外面を定期的に保守しなければならない。
先行技術文献：米国２００２／０１３１８２４Ａ１
【手続補正３】
【補正対象書類名】明細書
【補正対象項目名】００２８
【補正方法】削除
【補正の内容】
【手続補正４】
【補正対象書類名】明細書
【補正対象項目名】００２９
【補正方法】削除
【補正の内容】
【国際調査報告】
2007512469.tif 000008
2007512469.tif 000009
2007512469.tif 000010
2007512469.tif 000011